(57)【要約】【課題】  広画角であり、Ｆ値が小さく大口径であり、バックフォーカスが充分に確保されていながら、諸収差が良好に補正された高い光学性能を有する大口径広角レンズを提供する。【解決手段】  本発明の大口径広角レンズは、物体側から像側へ順に、第１レンズ群Ｇ１、開口絞りＳ、正の屈折力の第２レンズ群Ｇ２から構成され、前記第１レンズ群Ｇ１は、最も物体側において物体側に凸面を向けた第１の負メニスカスレンズを有し、前記第１の負メニスカスレンズの物体側のレンズ面に第１非球面ＡＳ１を有し、前記第１の負メニスカスレンズより像側に配置されたレンズのレンズ面に第２非球面ＡＳ２を有し、所定の条件を満足することを特徴とする。【選択図】図１
2018018041.tif 000002
【特許請求の範囲】
【請求項１】
物体側から像側へ順に、第１レンズ群Ｇ１、開口絞りＳ、正の屈折力の第２レンズ群Ｇ２から構成され、
前記第１レンズ群Ｇ１は、最も物体側において物体側に凸面を向けた第１の負メニスカスレンズを有し、前記第１の負メニスカスレンズの物体側のレンズ面に第１非球面ＡＳ１を有し、前記第１の負メニスカスレンズより像側に配置されたレンズのレンズ面に第２非球面ＡＳ２を有し、
前記第１非球面ＡＳ１の非球面形状は、レンズ中心に比べレンズ周辺部で正の屈折力が強くなる形状であり、
前記第２非球面ＡＳ２の非球面形状は、前記第２非球面ＡＳ２が凸面の場合、レンズ中心に比べレンズ周辺部で正の屈折力が弱くなる形状であり、前記第２非球面ＡＳ２が凹面の場合、レンズ中心に比べレンズ周辺部で負の屈折力が強くなる形状であり、
以下の条件式を満足することを特徴とする大口径広角レンズ。
（１）  −０．１００＜ｆ／ｆ１＜０．３００
（２）  ２．５＜ｈＦｎｏＧ１Ｒ／ｈＦｎｏＧ１Ｆ＜４．５
（３）  ２．２０＜ＢＦ／ｆ＜３．３０
（４）  ７５＜νｄＧ１Ｎνｍａｘ
（５）  ０．０２０＜θｇＦＧ１Ｎνｍａｘ−０．６４８３＋０．００１８×νｄＧ１Ｎνｍａｘ
（６）  ７５＜νｄＧ２Ｐνｍａｘ
（７）  ０．０２０＜θｇＦＧ２Ｐνｍａｘ−０．６４８３＋０．００１８×νｄＧ２Ｐνｍａｘ
但し、
ｆ：無限遠合焦時の光学系全系の焦点距離
ｆ１：無限遠合焦時の第１レンズ群Ｇ１の焦点距離
ｈＦｎｏＧ１Ｒ：無限遠合焦時の第１レンズ群Ｇ１の最も像側のレンズ面におけるＦナンバー光線の光線高
ｈＦｎｏＧ１Ｆ：無限遠合焦時の第１レンズ群Ｇ１の最も物体側のレンズ面におけるＦナンバー光線の光線高
ＢＦ：無限遠合焦時のバックフォーカスの長さ
νｄＧ１Ｎνｍａｘ：第１レンズ群Ｇ１に含まれる負レンズのうち、アッベ数が最大の負レンズのｄ線に対するアッベ数
θｇＦＧ１Ｎνｍａｘ：第１レンズ群Ｇ１に含まれる負レンズのうち、アッベ数が最大の負レンズのｇ線とＦ線に対する部分分散比
νｄＧ２Ｐνｍａｘ：第２レンズ群Ｇ２に含まれる正レンズのうち、アッベ数が最大の正レンズのｄ線に対するアッベ数
θｇＦＧ２Ｐνｍａｘ：第２レンズ群Ｇ２に含まれる正レンズのうち、アッベ数が最大の正レンズのｇ線とＦ線に対する部分分散比
【請求項２】
前記第１レンズ群Ｇ１は、最も物体側から像側へ順に、前記第１の負メニスカスレンズ、物体側に凸面を向けた第２の負メニスカスレンズ、物体側に凸面を向けた第３の負メニスカスレンズを連続して有する、
ことを特徴とする請求項１に記載の大口径広角レンズ。
【請求項３】
前記第１レンズ群Ｇ１は、物体側から像側へ順に、負の屈折力の第１ａレンズ群Ｇ１ａ、正の屈折力の第１ｂレンズ群Ｇ１ｂから構成され、
無限遠物体から近距離物体へのフォーカシングに際して、前記第１ａレンズ群Ｇ１ａ、開口絞りＳ、及び前記第２レンズ群Ｇ２は不動であり、前記第１ｂレンズ群Ｇ１ｂの全体、または、前記第１ｂレンズ群Ｇ１ｂの物体側の一部が光軸に沿って像側へ移動し、
前記第１ａレンズ群Ｇ１ａに含まれるレンズのレンズ面に前記第２非球面ＡＳ２を有する、
ことを特徴とする請求項１又は２に記載の大口径広角レンズ。
【請求項４】
前記第１ａレンズ群Ｇ１ａは、前記第３の負メニスカスレンズより像側に、少なくとも１枚の負レンズと少なくとも１枚の正レンズを有し、
以下の条件式を満足することを特徴とする請求項３に記載の大口径広角レンズ。
（８）  −２．４０＜ｆ１ａ／ｆ＜−１．３０
但し、
ｆ１ａ：第１レンズ群Ｇ１ａの焦点距離
【請求項５】
以下の条件式を満足することを特徴とする請求項３又は４に記載の大口径広角レンズ。
（９）  １．８５＜ｎｄＧ１ａＮｎｍａｘ
但し、
ｎｄＧ１ａＮｎｍａｘ：第１ａレンズ群Ｇ１ａに含まれる負レンズのうち、屈折率が最大の負レンズのｄ線に対する屈折率
【請求項６】
前記第１ｂレンズ群Ｇ１ｂは、第１ｂレンズ群Ｇ１ｂ内の最も長いレンズ面間隔を境として、負の屈折力の第１ｂＦレンズ群Ｇ１ｂＦ、正の屈折力の第１ｂＲレンズ群Ｇ１ｂＲから構成され、
前記第１ｂＦレンズ群Ｇ１ｂＦは、少なくとも１枚の物体側に凸面を向けた負メニスカスレンズを有し、
以下の条件式を満足することを特徴とする請求項３乃至５のいずれか１項に記載の大口径広角レンズ。
（１０）  ０．６＜ＤｍａｘＧ１ｂ／ｆ＜２．０
（１１）  ０．４＜β１ｂＦ＜０．９２
但し、
ＤｍａｘＧ１ｂ：第１ｂレンズ群Ｇ１ｂ内の最も長いレンズ面間隔の長さ
β１ｂＦ：無限遠合焦時の第１ｂＦレンズ群Ｇ１ｂＦの横倍率
【請求項７】
前記第２レンズ群Ｇ２に含まれるレンズのレンズ面に第３非球面ＡＳ３を有し、
以下の条件式を満足することを特徴とする請求項１乃至６のいずれか１項に記載の大口径広角レンズ。
（１２）  ＤＡＳ３／ＢＦ＜１．６０
但し、
ＤＡＳ３：無限遠合焦時の第３非球面ＡＳ３から像面までの光軸上の長さ
【発明の詳細な説明】
【技術分野】
【０００１】
本発明はデジタルスチルカメラ、ビデオカメラ等の撮像装置に好適な撮影レンズのうち、画角が１１０度以上でＦ値が１．８程度の大口径広角レンズに関する。
【背景技術】
【０００２】
近年、デジタルスチルカメラ、ビデオカメラ等の撮像装置に用いる撮影レンズとして、広画角で、大口径で、さらに、高い光学性能を有する光学系が求められている。
【０００３】
また、撮影レンズと像面の間にクイックリターンミラーが配置される一眼レフカメラの交換レンズに適用可能とするためには、一定以上のバックフォーカスが確保された撮影レンズとする必要がある。
【０００４】
従来、広画角でありながら長いバックフォーカスを有する結像光学系として、物体側から順に負の屈折力の前群と正の屈折力の後群を配置したレトロフォーカス型の光学系が知られている。
【先行技術文献】
【特許文献】
【０００５】
【特許文献１】特許３７９９９１３号公報
【特許文献２】特許４８９８３９９号公報
【特許文献３】特許５８０６０２０号公報
【発明の概要】
【発明が解決しようとする課題】
【０００６】
一般的にレトロフォーカス型の光学系は、開口絞りに対して非対称な屈折力配置となるため、コマ収差や倍率色収差、非点収差、歪曲収差などの諸収差が発生しやすいという課題がある。
【０００７】
また、大口径で高い光学性能の撮像レンズを実現するためには、球面収差、コマ収差、非点収差などの諸収差をより良好に補正する必要がある。
【０００８】
特許文献１乃至３では、画角が１１０度以上と広く、長いバックフォーカスを有するレトロフォーカス型の光学系が開示されている。
【０００９】
しかしながら、特許文献１乃至３に開示された光学系は、いずれもＦ値が２．８程度と暗いという課題がある。また、非点収差、倍率色収差、コマ収差が大きく、画面周辺の光学性能が十分ではない。また、特許文献１及び３に開示された光学系は、無限遠合焦時の歪曲収差が大きいという課題がある。
【００１０】
本発明はこのような状況に鑑みてなされたものであり、画角が１１０度以上と広く、Ｆ値が１．８程度と大口径でありながら、高い光学性能を有する大口径広角レンズを提供することを目的とする。
【課題を解決するための手段】
【００１１】
上記の課題を解決するため、本発明の第１の発明に係る大口径広角レンズは、物体側から像側へ順に、第１レンズ群Ｇ１、開口絞りＳ、正の屈折力の第２レンズ群Ｇ２から構成され、前記第１レンズ群Ｇ１は、最も物体側において物体側に凸面を向けた第１の負メニスカスレンズを有し、前記第１の負メニスカスレンズの物体側のレンズ面に第１非球面ＡＳ１を有し、前記第１の負メニスカスレンズより像側に配置されたレンズのレンズ面に第２非球面ＡＳ２を有し、前記第１非球面ＡＳ１の非球面形状は、レンズ中心に比べレンズ周辺部で正の屈折力が強くなる形状であり、前記第２非球面ＡＳ２の非球面形状は、前記第２非球面ＡＳ２が凸面の場合、レンズ中心に比べレンズ周辺部で正の屈折力が弱くなる形状であり、前記第２非球面ＡＳ２が凹面の場合、レンズ中心に比べレンズ周辺部で負の屈折力が強くなる形状であり、以下の条件式を満足することを特徴とする。
（１）  −０．１００＜ｆ／ｆ１＜０．３００
（２）  ２．５＜ｈＦｎｏＧ１Ｒ／ｈＦｎｏＧ１Ｆ＜４．５
（３）  ２．２０＜ＢＦ／ｆ＜３．３０
（４）  ７５＜νｄＧ１Ｎνｍａｘ
（５）  ０．０２０＜θｇＦＧ１Ｎνｍａｘ−０．６４８３＋０．００１８×νｄＧ１Ｎνｍａｘ
（６）  ７５＜νｄＧ２Ｐνｍａｘ
（７）  ０．０２０＜θｇＦＧ２Ｐνｍａｘ−０．６４８３＋０．００１８×νｄＧ２Ｐνｍａｘ
但し、
ｆ：無限遠合焦時の光学系全系の焦点距離
ｆ１：無限遠合焦時の第１レンズ群Ｇ１の焦点距離
ｈＦｎｏＧ１Ｒ：無限遠合焦時の第１レンズ群Ｇ１の最も像側のレンズ面におけるＦナンバー光線の光線高
ｈＦｎｏＧ１Ｆ：無限遠合焦時の第１レンズ群Ｇ１の最も物体側のレンズ面におけるＦナンバー光線の光線高
ＢＦ：無限遠合焦時のバックフォーカスの長さ
νｄＧ１Ｎνｍａｘ：第１レンズ群Ｇ１に含まれる負レンズのうち、アッベ数が最大の負レンズのｄ線に対するアッベ数
θｇＦＧ１Ｎνｍａｘ：第１レンズ群Ｇ１に含まれる負レンズのうち、アッベ数が最大の負レンズのｇ線とＦ線に対する部分分散比
νｄＧ２Ｐνｍａｘ：第２レンズ群Ｇ２に含まれる正レンズのうち、アッベ数が最大の正レンズのｄ線に対するアッベ数
θｇＦＧ２Ｐνｍａｘ：第２レンズ群Ｇ２に含まれる正レンズのうち、アッベ数が最大の正レンズのｇ線とＦ線に対する部分分散比
【００１２】
また、本発明の第２の発明に係る大口径広角レンズは、前記第１レンズ群Ｇ１は、最も物体側から像側へ順に、前記第１の負メニスカスレンズ、物体側に凸面を向けた第２の負メニスカスレンズ、物体側に凸面を向けた第３の負メニスカスレンズを連続して有する、ことを特徴とする。
【００１３】
また、本発明の第３の発明に係る大口径広角レンズは、前記第１レンズ群Ｇ１は、物体側から像側へ順に、負の屈折力の第１ａレンズ群Ｇ１ａ、正の屈折力の第１ｂレンズ群Ｇ１ｂから構成され、無限遠物体から近距離物体へのフォーカシングに際して、前記第１ａレンズ群Ｇ１ａ、開口絞りＳ、及び前記第２レンズ群Ｇ２は不動であり、前記第１ｂレンズ群Ｇ１ｂの全体、または、前記第１ｂレンズ群Ｇ１ｂの物体側の一部が光軸に沿って像側へ移動し、前記第１ａレンズ群Ｇ１ａに含まれるレンズのレンズ面に前記第２非球面ＡＳ２を有する、ことを特徴とする。
【００１４】
また、本発明の第４の発明に係る大口径広角レンズは、前記第１ａレンズ群Ｇ１ａは、前記第３の負メニスカスレンズより像側に、少なくとも１枚の負レンズと少なくとも１枚の正レンズを有し、以下の条件式を満足することを特徴とする。
（８）  −２．４０＜ｆ１ａ／ｆ＜−１．３０
但し、
ｆ１ａ：第１レンズ群Ｇ１ａの焦点距離
【００１５】
また、本発明の第５の発明に係る大口径広角レンズは、以下の条件式を満足することを特徴とする。
（９）  １．８５＜ｎｄＧ１ａＮｎｍａｘ
但し、
ｎｄＧ１ａＮｎｍａｘ：第１ａレンズ群Ｇ１ａに含まれる負レンズのうち、屈折率が最大の負レンズのｄ線に対する屈折率
【００１６】
また、本発明の第６の発明に係る大口径広角レンズは、前記第１ｂレンズ群Ｇ１ｂは、第１ｂレンズ群Ｇ１ｂ内の最も長いレンズ面間隔を境として、負の屈折力の第１ｂＦレンズ群Ｇ１ｂＦ、正の屈折力の第１ｂＲレンズ群Ｇ１ｂＲから構成され、前記第１ｂＦレンズ群Ｇ１ｂＦは、少なくとも１枚の物体側に凸面を向けた負メニスカスレンズを有し、以下の条件式を満足することを特徴とする。
（１０）  ０．６＜ＤｍａｘＧ１ｂ／ｆ＜２．０
（１１）  ０．４＜β１ｂＦ＜０．９２
但し、
ＤｍａｘＧ１ｂ：第１ｂレンズ群Ｇ１ｂ内の最も長いレンズ面間隔の長さ
β１ｂＦ：無限遠合焦時の第１ｂＦレンズ群Ｇ１ｂＦの横倍率
【００１７】
また、本発明の第７の発明に係る大口径広角レンズは、前記第２レンズ群Ｇ２に含まれるレンズのレンズ面に第３非球面ＡＳ３を有し、以下の条件式を満足することを特徴とする。
（１２）  ＤＡＳ３／ＢＦ＜１．６０
但し、
ＤＡＳ３：無限遠合焦時の第３非球面ＡＳ３から像面までの光軸上の長さ
【発明の効果】
【００１８】
本発明によれば、広画角であり、Ｆ値が小さく大口径であり、バックフォーカスが充分に確保されていながら、諸収差が良好に補正された高い光学性能を有する大口径広角レンズを提供することができる。
【図面の簡単な説明】
【００１９】
【図１】本発明の実施例１の無限遠合焦時のレンズ構成図である。
【図２】本発明の実施例１の無限遠合焦時の縦収差図である。
【図３】本発明の実施例１の無限遠合焦時の横収差図である。
【図４】本発明の実施例２の無限遠合焦時のレンズ構成図である。
【図５】本発明の実施例２の無限遠合焦時の縦収差図である。
【図６】本発明の実施例２の無限遠合焦時の横収差図である。
【図７】本発明の実施例３の無限遠合焦時のレンズ構成図である。
【図８】本発明の実施例３の無限遠合焦時の縦収差図である。
【図９】本発明の実施例３の無限遠合焦時の横収差図である。
【図１０】本発明の実施例４の無限遠合焦時のレンズ構成図である。
【図１１】本発明の実施例４の無限遠合焦時の縦収差図である。
【図１２】本発明の実施例４の無限遠合焦時の横収差図である。
【図１３】本発明の実施例５の無限遠合焦時のレンズ構成図である。
【図１４】本発明の実施例５の無限遠合焦時の縦収差図である。
【図１５】本発明の実施例５の無限遠合焦時の横収差図である。
【図１６】本発明の実施例６の無限遠合焦時のレンズ構成図である。
【図１７】本発明の実施例６の無限遠合焦時の縦収差図である。
【図１８】本発明の実施例６の無限遠合焦時の横収差図である。
【図１９】本発明の実施例７の無限遠合焦時のレンズ構成図である。
【図２０】本発明の実施例７の無限遠合焦時の縦収差図である。
【図２１】本発明の実施例７の無限遠合焦時の横収差図である。
【発明を実施するための形態】
【００２０】
以下、本発明に係る大口径広角レンズの実施例について説明する。
【００２１】
本実施例の大口径広角レンズのレンズ構成図を、図１、図４、図７、図１０、図１３、図１６、図１９に示す。
【００２２】
本実施例の大口径広角レンズは、物体側から像側へ順に、第１レンズ群Ｇ１、開口絞りＳ、正の屈折力の第２レンズ群Ｇ２から構成され、前記第１レンズ群Ｇ１は、最も物体側において物体側に凸面を向けた第１の負メニスカスレンズを有し、前記第１の負メニスカスレンズの物体側のレンズ面に第１非球面ＡＳ１を有し、前記第１の負メニスカスレンズより像側に配置されたレンズのレンズ面に第２非球面ＡＳ２を有し、前記第１非球面ＡＳ１の非球面形状は、レンズ中心に比べレンズ周辺部で正の屈折力が強くなる形状であり、前記第２非球面ＡＳ２の非球面形状は、前記第２非球面ＡＳ２が凸面の場合、レンズ中心に比べレンズ周辺部で正の屈折力が弱くなる形状であり、前記第２非球面ＡＳ２が凹面の場合、レンズ中心に比べレンズ周辺部で負の屈折力が強くなる形状であり、以下の条件式を満足することを特徴とする。
（１）  −０．１００＜ｆ／ｆ１＜０．３００
（２）  ２．５＜ｈＦｎｏＧ１Ｒ／ｈＦｎｏＧ１Ｆ＜４．５
（３）  ２．２０＜ＢＦ／ｆ＜３．３０
（４）  ７５＜νｄＧ１Ｎνｍａｘ
（５）  ０．０２０＜θｇＦＧ１Ｎνｍａｘ−０．６４８３＋０．００１８×νｄＧ１Ｎνｍａｘ
（６）  ７５＜νｄＧ２Ｐνｍａｘ
（７）  ０．０２０＜θｇＦＧ２Ｐνｍａｘ−０．６４８３＋０．００１８×νｄＧ２Ｐνｍａｘ
但し、
ｆ：無限遠合焦時の光学系全系の焦点距離
ｆ１：無限遠合焦時の第１レンズ群Ｇ１の焦点距離
ｈＦｎｏＧ１Ｒ：無限遠合焦時の第１レンズ群Ｇ１の最も像側のレンズ面におけるＦナンバー光線の光線高
ｈＦｎｏＧ１Ｆ：無限遠合焦時の第１レンズ群Ｇ１の最も物体側のレンズ面におけるＦナンバー光線の光線高
ＢＦ：無限遠合焦時のバックフォーカスの長さ
νｄＧ１Ｎνｍａｘ：第１レンズ群Ｇ１に含まれる負レンズのうち、アッベ数が最大の負レンズのｄ線に対するアッベ数
θｇＦＧ１Ｎνｍａｘ：第１レンズ群Ｇ１に含まれる負レンズのうち、アッベ数が最大の負レンズのｇ線とＦ線に対する部分分散比
νｄＧ２Ｐνｍａｘ：第２レンズ群Ｇ２に含まれる正レンズのうち、アッベ数が最大の正レンズのｄ線に対するアッベ数
θｇＦＧ２Ｐνｍａｘ：第２レンズ群Ｇ２に含まれる正レンズのうち、アッベ数が最大の正レンズのｇ線とＦ線に対する部分分散比
【００２３】
本実施例の大口径広角レンズでは、物体側から像側へ順に、第１レンズ群Ｇ１、開口絞りＳ、正の屈折力の第２レンズ群Ｇ２から構成される。
【００２４】
第１レンズ群Ｇ１は、光学系全系において、画角を大きくしつつ充分なバックフォーカスを確保するワイドコンバータの役割を担っている。第１レンズ群Ｇ１のワイドコンバータの役割により、第１レンズ群Ｇ１から射出されるＦナンバー光線の光線高は第１レンズ群Ｇ１へ入射するＦナンバー光線の光線高に対して大きくなる。
【００２５】
第１レンズ群Ｇ１は、最も物体側において物体側に凸面を向けた第１の負メニスカスレンズを有する。第１レンズ群Ｇ１は、ワイドコンバータの役割を担うため、物体側寄りを負の屈折力とし、像側寄りを正の屈折力としたレトロフォーカス型の屈折力配置とする必要がある。この場合、最も物体側において、開口絞りＳに対してコンセントリックな形状の第１の負メニスカスレンズを配置することにより、歪曲や非点収差を補正困難なほど発生させることなく上記の屈折力配置とすることが可能となる。
【００２６】
第１レンズ群Ｇ１は、第１の負メニスカスレンズの物体側のレンズ面に第１非球面ＡＳ１を有し、第１の負メニスカスレンズより像側に配置されたレンズのレンズ面に第２非球面ＡＳ２を有する。
【００２７】
第１非球面ＡＳ１の非球面形状は、レンズ中心に比べレンズ周辺部で正の屈折力が強くなる形状であり、第１レンズ群Ｇ１のレトロフォーカス型の屈折力配置で発生する樽型の歪曲収差を補正している。第１非球面ＡＳ１は、光学系全系において、軸外主光線の光線高が最も高い第１の負メニスカスレンズの物体側のレンズ面にあることで良好な歪曲収差の補正が可能になる。
【００２８】
第２非球面ＡＳ２の非球面形状は、第２非球面ＡＳ２が凸面の場合、レンズ中心に比べレンズ周辺部で正の屈折力が弱くなる形状であり、第２非球面ＡＳ２が凹面の場合、レンズ中心に比べレンズ周辺部で負の屈折力が強くなる形状であり、第１非球面ＡＳ１とは逆向きの収差補正効果を有する。第２非球面ＡＳ２は、第１の負メニスカスレンズより像側であって、第１非球面ＡＳ１と比べて軸外主光線の光線高が低い位置にあるため、第１非球面ＡＳ１による歪曲補正効果を大きく相殺することなく、第１非球面ＡＳ１で過剰に発生した非点収差の補正を行うことが可能になる。
【００２９】
条件式（１）は、無限遠合焦時の光学系全系の焦点距離と、無限遠合焦時の第１レンズ群Ｇ１の焦点距離との比について好ましい範囲を規定するものである。
【００３０】
条件式（１）の下限値を超えて第１レンズ群Ｇ１が強い負の屈折力を持つと、開口絞りＳの前後において屈折力の非対称性が大きくなり、コマ収差や倍率色収差、歪曲収差などの諸収差を良好に補正することが困難になる。
【００３１】
一方、条件式（１）の上限値を超えて第１レンズ群Ｇ１の正の屈折力が強くなり過ぎると、十分なバックフォーカスを確保するためには、第１レンズ群Ｇ１内の物体側寄りの負の屈折力を維持しながら、像側寄りに強い正の屈折力を配置する必要があり、球面収差、コマ収差などの諸収差を良好に補正することが困難になる。
【００３２】
なお、条件式（１）について、その下限値を０．０００に、または、上限値を０．２５０に限定することで、前述の効果をより確実にすることができる。
【００３３】
条件式（２）は、無限遠合焦時の第１レンズ群Ｇ１の最も像側のレンズ面におけるＦナンバー光線の光線高と第１レンズ群Ｇ１の最も物体側のレンズ面におけるＦナンバー光線の光線高との比について、第１レンズ群Ｇ１がワイドコンバータの役割を担い、画角を大きくしつつ十分なバックフォーカスを確保するための好ましい範囲を規定するものである。
【００３４】
条件式（２）の下限値を超えて無限遠合焦時の第１レンズ群Ｇ１の最も像側のレンズ面におけるＦナンバー光線の光線高と第１レンズ群Ｇ１の最も物体側のレンズ面におけるＦナンバー光線の光線高との比が小さくなると、第１レンズ群Ｇ１のワイドコンバータの作用が弱まるため、十分なバックフォーカスの確保が困難になる。また、この場合、光学系全系の焦点距離を維持するには第２レンズ群Ｇ２の屈折力を強くする必要があり、第２レンズ群Ｇ２で発生する球面収差、コマ収差の補正が困難になる。
【００３５】
一方、条件式（２）の上限値を超えて無限遠合焦時の第１レンズ群Ｇ１の最も像側のレンズ面におけるＦナンバー光線の光線高と第１レンズ群Ｇ１の最も物体側のレンズ面におけるＦナンバー光線の光線高との比が大きくなると、第１レンズ群Ｇ１のワイドコンバータの作用が強まるため、第１レンズ群Ｇ１内の物体側寄りの負の屈折力が強まるか、第１レンズ群Ｇ１内の像側寄りの正の屈折力を弱まることとなる。
【００３６】
第１レンズ群Ｇ１内の物体側寄りの負の屈折力が強まる場合、コマ収差や倍率色収差、歪曲収差などの諸収差を良好に補正することが困難になる。一方、第１レンズ群Ｇ１内の像側寄りの正の屈折力が弱まる場合、第１レンズ群Ｇ１の光学系全長が大きくなってしまう。
【００３７】
また、第１レンズ群Ｇ１のワイドコンバータの作用が強まると、光学系全系の焦点距離が変化することとなるため、所望の焦点距離を維持するためには第２レンズ群Ｇ２の正の屈折力を弱めることが必要となる。これにより、第２レンズ群Ｇ２の光学全長が長くなり、光学系全系の長大化を招いてしまうこととなる。さらに、光学系全系の長大化により、第１レンズ群Ｇ１内の物体側寄りのレンズ径も大きくなるため、撮影レンズの大型化につながる。
【００３８】
なお、条件式（２）について、その下限値を３．０に、または、上限値を４．０にすることで、前述の効果をより確実にすることができる。
【００３９】
条件式（３）は、無限遠合焦時のバックフォーカスと無限遠合焦時の光学系全系の焦点距離との比、いわゆるレトロ比について、短い焦点距離でありながら十分なバックフォーカスを確保するために好ましい範囲を規定するものである。
【００４０】
条件式（３）の上限値を超えてバックフォーカスを大きくするためには、第１レンズ群Ｇ１内の物体側寄りにより強い負の屈折力を配置する必要があるため、屈折力配置の非対称性が大きくなり、これによりコマ収差や倍率色収差、歪曲収差などの諸収差を良好に補正することが困難になる。
【００４１】
一方、条件式（３）の下限値を超えてバックフォーカスが小さくなると、像面と撮影レンズの間にクイックリターンミラーを配置した一眼レフカメラに装着可能な交換レンズとすることができない。
【００４２】
なお、条件式（３）について、その下限値を２．４０に、または、上限値を３．１０に限定することで、前述の効果をより確実にすることができる。
【００４３】
条件式（４）及び（５）は、第１レンズ群Ｇ１に含まれる負レンズのうち、アッベ数が最大の負レンズについて、２次スペクトルを含めて倍率色収差を良好に補正するための好ましい光学特性を規定するものである。
【００４４】
一般に、２次スペクトルを含めて色収差を良好に補正するためには、アッベ数の差が大きく、部分分散比の差が小さくなるような正レンズと負レンズを組み合わせると良い。特に、レトロフォーカス型の光学系において、開口絞りＳに対して物体側に低分散かつ異常分散性が高い（通常の材料と比較して部分分散比が大きい）負レンズを有することで、２次スペクトルを含めた倍率色収差を良好に補正することが可能になる。
【００４５】
条件式（４）の下限値を超えて、第１レンズ群Ｇ１に含まれる負レンズのうち、アッベ数が最大の負レンズのアッベ数が小さくなると、正レンズと負レンズのアッベ数の差を大きくすることが困難になり、２次スペクトルを含めた倍率色収差の良好な補正が困難になる。
【００４６】
なお、条件式（４）について、その下限値を８０にすることで、前述の効果をより確実にすることができる。
【００４７】
条件式（５）の下限値を超えて、第１レンズ群Ｇ１に含まれる負レンズのうち、アッベ数が最大の負レンズの異常分散性が低くなると、２次スペクトルを含めた倍率色収差の良好な補正が困難になる。
【００４８】
なお、条件式（５）について、その下限値を０．０３０にすることで、前述の効果をより確実にすることができる。
【００４９】
条件式（６）及び（７）は、第２レンズ群Ｇ２に含まれる正レンズのうち、アッベ数が最大の正レンズについて、２次スペクトルを含めて軸上色収差、倍率色収差を良好に補正するために好ましい光学特性を規定するものである。
【００５０】
一般に、２次スペクトルを含めて色収差を良好に補正するためには、アッベ数の差が大きく、部分分散比の差が小さくなるような正レンズと負レンズを組み合わせると良い。特に、レトロフォーカス型の光学系において、開口絞りＳに対して像側に低分散かつ異常分散性が高い（通常の材料と比較して部分分散比が大きい）正レンズを有することで、２次スペクトルを含めた軸上色収差、倍率色収差を良好に補正することが可能になる。
【００５１】
条件式（６）の下限値を超えて、第２レンズ群Ｇ２に含まれる正レンズのうち、アッベ数が最大の正レンズのアッベ数が小さくなると、正レンズと負レンズのアッベ数の差を大きくすることが困難になり、２次スペクトルを含めた軸上色収差、倍率色収差の良好な補正が困難になる。
【００５２】
なお、条件式（６）について、その下限値を８０にすることで、前述の効果をより確実にすることができる。
【００５３】
条件式（７）の下限値を超えて、第２レンズ群Ｇ２に含まれる正レンズのうち、アッベ数が最大の正レンズの異常分散性が低くなると、２次スペクトルを含めた軸上色収差、倍率色収差の良好な補正が困難になる。
【００５４】
なお、条件式（７）について、その下限値を０．０３０にすることで、前述の効果をより確実にすることができる。
【００５５】
さらに、本実施例の大口径広角レンズは、前記第１レンズ群Ｇ１は、最も物体側から像側へ順に、前記第１の負メニスカスレンズ、物体側に凸面を向けた第２の負メニスカスレンズ、物体側に凸面を向けた第３の負メニスカスレンズを連続して有する、ことを特徴とする。
【００５６】
開口絞りＳに対してコンセントリックな形状の負メニスカスレンズ３枚を、第１レンズ群Ｇ１において、軸外主光線の光線高が大きい位置に有することで、歪曲収差や非点収差の発生量を抑制しながら、第１レンズ群Ｇ１内の物体側寄りの負の屈折力を強めて、十分なバックフォーカスを確保することが可能になる。
【００５７】
さらに、本実施例の大口径広角レンズは、前記第１レンズ群Ｇ１は、物体側から像側へ順に、負の屈折力の第１ａレンズ群Ｇ１ａ、正の屈折力の第１ｂレンズ群Ｇ１ｂから構成され、無限遠物体から近距離物体へのフォーカシングに際して、前記第１ａレンズ群Ｇ１ａ、開口絞りＳ、及び前記第２レンズ群Ｇ２は不動であり、前記第１ｂレンズ群Ｇ１ｂの全体、または、前記第１ｂレンズ群Ｇ１ｂの物体側の一部が光軸に沿って像側へ移動し、前記第１ａレンズ群Ｇ１ａに含まれるレンズのレンズ面に前記第２非球面ＡＳ２を有する、ことを特徴とする。
【００５８】
第１レンズ群Ｇ１が、物体側から像側ヘ順に、負の屈折力の第１ａレンズ群Ｇ１ａ、正の屈折力の第１ｂレンズ群Ｇ１ｂから構成されることで、ワイドコンバータの役割を担うことにより、広画角でありながら長いバックフォーカスを確保することが可能な光学系全系を実現することが可能となる。
【００５９】
また、正の屈折力の第１ｂレンズ群Ｇ１ｂを開口絞りＳより物体側に配置することで、開口絞りＳの前後の屈折力の非対称性が緩和され、コマ収差や倍率色収差、歪曲収差などの諸収差の補正に有利になる。
【００６０】
また、無限遠物体から近距離物体へのフォーカシングに際して、第１ｂレンズ群Ｇ１ｂの全体、または、第１ｂレンズ群Ｇ１ｂの物体側の一部のみを光軸に沿って像側へ移動することで、移動するレンズ群の重量低減と移動機構の簡素化が可能となる。
【００６１】
また、第２非球面ＡＳ２は、前述の通り第１非球面ＡＳ１と比べて軸外主光線の光線高が低い位置に配置される必要があるが、軸外主光線の光線高が低すぎると第２非球面ＡＳ２による非点収差の補正効果が弱まってしまう。そこで、軸外主光線の光線高が比較的高い第１ａレンズ群Ｇ１ａ内に第２非球面ＡＳ２を配置することで、非点収差の良好な補正が可能になる。
【００６２】
さらに、本実施例の大口径広角レンズは、前記第１ａレンズ群Ｇ１ａは、前記第３の負メニスカスレンズより像側に、少なくとも１枚の負レンズと少なくとも１枚の正レンズを有し、以下の条件式を満足することを特徴とする。
（８）  −２．４０＜ｆ１ａ／ｆ＜−１．３０
但し、
ｆ１ａ：第１レンズ群Ｇ１ａの焦点距離
【００６３】
第１ａレンズ群Ｇ１ａにおいて、全体で少なくとも４枚の負レンズに対して負の屈折力を分担させることにより、歪曲収差や非点収差の発生量を抑制しつつ、第１ａレンズ群Ｇ１ａの負の屈折力を強め、十分なバックフォーカスを確保することが可能になる。
【００６４】
また、第１ａレンズ群Ｇ１ａにおいて、第３の負メニスカスレンズより像側に少なくとも１枚の正レンズを有することにより、第１ａレンズ群Ｇ１ａ内で発生する球面収差やコマ収差を抑制することが可能となる。
【００６５】
条件式（８）は、第１ａレンズ群Ｇ１ａの焦点距離と無限遠合焦時の光学系全系の焦点距離の比について、好ましい範囲を規定するものである。
【００６６】
条件式（８）の上限値を超えて第１ａレンズ群Ｇ１ａの負の屈折力が強くなり過ぎると、バックフォーカスの確保は容易だが、コマ収差や倍率色収差、歪曲などの諸収差を良好に補正することが困難になる。
【００６７】
一方、条件式（８）の下限値を超えて第１ａレンズ群Ｇ１ａの負の屈折力が弱くなり過ぎると、十分なバックフォーカスを確保することが困難になる。
【００６８】
なお、条件式（８）について、その下限値を−２．２０に、または、上限値を−１．５０に限定することで、前述の効果をより確実にすることができる。
【００６９】
さらに、本発明の大口径広角レンズは、以下の条件式を満足することを特徴とする。
（９）  １．８５＜ｎｄＧ１ａＮｎｍａｘ
但し、
ｎｄＧ１ａＮｎｍａｘ：第１ａレンズ群Ｇ１ａに含まれる負レンズのうち、屈折率が最大の負レンズのｄ線に対する屈折率
【００７０】
条件式（９）は、第１ａレンズ群Ｇ１ａに含まれる負レンズのうち、屈折率が最大の負レンズの屈折率について、好ましい範囲を規定するものである。第１ａレンズ群Ｇ１ａが高屈折率の負レンズを有することで、歪曲収差や非点収差の発生量を抑制しながら、第１ａレンズ群Ｇ１ａの負の屈折力を強め、十分なバックフォーカスを確保することが可能になる。
【００７１】
条件式（９）の下限値を超えて、第１ａレンズ群Ｇ１ａに含まれる負レンズのうち、屈折率が最大の負レンズの屈折率が低くなると、歪曲収差や非点収差の発生量を抑制しながら第１ａレンズ群Ｇ１ａの負の屈折力を強めることが困難になる。
【００７２】
なお、条件式（９）について、その下限値を１．９０に限定することで、前述の効果をより確実にすることができる。
【００７３】
さらに、本発明の大口径広角レンズは、前記第１ｂレンズ群Ｇ１ｂは、第１ｂレンズ群Ｇ１ｂ内の最も長いレンズ面間隔を境として、負の屈折力の第１ｂＦレンズ群Ｇ１ｂＦ、正の屈折力の第１ｂＲレンズ群Ｇ１ｂＲから構成され、前記第１ｂＦレンズ群Ｇ１ｂＦは、少なくとも１枚の物体側に凸面を向けた負メニスカスレンズを有し、以下の条件式を満足する。
（１０）  ０．６＜ＤｍａｘＧ１ｂ／ｆ＜２．０
（１１）  ０．４＜β１ｂＦ＜０．９２
但し、
ＤｍａｘＧ１ｂ：第１ｂレンズ群Ｇ１ｂ内の最も長いレンズ面間隔の長さ
β１ｂＦ：無限遠合焦時の第１ｂＦレンズ群Ｇ１ｂＦの横倍率
【００７４】
これにより、第１ｂレンズ群Ｇ１ｂの正の屈折力を保ったままでも第１ｂレンズ群Ｇ１ｂ内でのＦナンバー光線の光線高を大きくすることが可能となり、第１レンズ群Ｇ１のワイドコンバータ作用を強めて光学系全系における十分なバックフォーカスを確保することが容易となる。
【００７５】
また、第１ｂＦレンズ群Ｇ１ｂＦと第１ｂＲレンズ群Ｇ１ｂＲとの間隔を広げることで、軸外主光線の光線高を第１ｂＲレンズ群Ｇ１ｂＲよりも第１ｂＦレンズ群Ｇ１ｂＦにおいて高く、Ｆナンバー光線の光線高を第１ｂＦレンズ群Ｇ１ｂＦよりも第１ｂＲレンズ群Ｇ１ｂＲにおいて高くすることが容易となり、軸外主光線の光線高が高い第１ｂＦレンズ群Ｇ１ｂＦでは倍率色収差、非点収差の補正や下光線フレアの制御を、Ｆナンバー光線の光線高が高い第１ｂＲレンズ群Ｇ１ｂＲでは軸上色収差、球面収差の補正を、それぞれ独立に行うことが可能になる。
【００７６】
また、第１ｂＦレンズ群Ｇ１ｂＦと第１ｂＲレンズ群Ｇ１ｂＲとの間隔を広げることで、第１ｂレンズ群Ｇ１ｂの正の屈折力を保ちながら、第１ｂＦレンズ群Ｇ１ｂＦ、第１ｂＲレンズ群Ｇ１ｂＲの各々の屈折力を弱め、第１ｂレンズ群Ｇ１ｂ内で発生する諸収差の量を抑制することが可能になる。
【００７７】
また、第１ｂＦレンズ群Ｇ１ｂＦは、少なくとも１枚の物体側に凸面を向けた負メニスカスレンズを有することが望ましい。
【００７８】
これにより、第１ｂＦレンズ群Ｇ１ｂＦの負の屈折力を強めて十分なバックフォーカスを確保する場合にも、歪曲収差、非点収差の発生量を抑制することが可能となる。
【００７９】
条件式（１０）は、第１ｂレンズ群Ｇ１ｂ内の最も長いレンズ面間隔の長さと無限遠合焦時の光学系全系の焦点距離の比について、好ましい範囲を規定するものである。
【００８０】
条件式（１０）の下限値を超えて、第１ｂレンズ群Ｇ１ｂ内の最も長いレンズ面間隔の長さが小さくなり過ぎると、第１ｂレンズ群Ｇ１ｂ内でＦナンバー光線の光線高を十分に高くすることができず、十分なバックフォーカスを確保することが困難になる。また、第１ｂＦレンズ群Ｇ１ｂＦ、第１ｂＲレンズ群Ｇ１ｂＲの各々の屈折力が強くなることにより、第１ｂレンズ群Ｇ１ｂ内で発生する諸収差の量を抑制することが困難になる。
【００８１】
一方、条件式（１０）の上限値を超えて、第１ｂレンズ群Ｇ１ｂ内の最も長いレンズ面間隔の長さが大きくなり過ぎるとこれに伴って光学系全系の長さが大きくなり、撮影レンズの大型化につながってしまう。
【００８２】
なお、条件式（１０）について、その下限値を０．７に、または、上限値を１．５０に限定することで、前述の効果をより確実にすることができる。
【００８３】
条件式（１１）は、無限遠合焦時の第１ｂＦレンズ群Ｇ１ｂＦの横倍率について、好ましい範囲を規定するものである。
【００８４】
条件式（１１）の下限値を超えて第１ｂＦレンズ群Ｇ１ｂＦの横倍率を小さくする場合、第１ｂＦレンズ群Ｇ１ｂＦの負の屈折力を強める必要があり、球面収差、コマ収差、非点収差などの諸収差を良好に補正することが困難になる。
【００８５】
一方、条件式（１１）の上限値を超えて第１ｂＦレンズ群Ｇ１ｂＦの横倍率を大きくする場合、第１ｂレンズ群Ｇ１ｂ内でＦナンバー光線の光線高を十分に高くすることができず、十分なバックフォーカスを確保することが困難になる。
【００８６】
なお、条件式（１１）について、その下限値を０．５０に、または、上限値を０．８８に限定することで、前述の効果をより確実にすることができる。
【００８７】
さらに、本実施例の大口径広角レンズは、前記第２レンズ群Ｇ２に含まれるレンズのレンズ面に第３非球面ＡＳ３を有し、以下の条件式を満足することを特徴とする。
（１２）  ＤＡＳ３／ＢＦ＜１．６０
但し、
ＤＡＳ３：無限遠合焦時の第３非球面ＡＳ３から像面までの光軸上の長さ
【００８８】
光学系全系において光束径が比較的大きい第２レンズ群Ｇ２内に非球面を配置することにより、球面収差、コマ収差を良好に補正することが可能になる。さらに、第２レンズ群Ｇ２内に第３非球面ＡＳ３を追加することで、第１非球面ＡＳ１、第２非球面ＡＳ２で補正した歪曲収差、非点収差をより良好に補正することが可能となる。
【００８９】
条件式（１２）は、第３非球面ＡＳ３から像面までの光軸上の長さとバックフォーカスの長さの比について、好ましい範囲を規定するものである。
【００９０】
条件式（１２）の上限値を超えて、第３非球面ＡＳ３が像面から遠くなり過ぎると、軸外主光線の光線高が小さくなり、コマ収差、非点収差、歪曲収差の補正効果が小さくなってしまう。
【００９１】
なお、条件式（１２）について、その上限値を１．４０に限定することで、前述の効果をより確実にすることができる。
【００９２】
本発明の大口径広角レンズでは、以下の構成を伴うことがより好ましい。
【００９３】
本発明の大口径広角レンズにおいて、第１レンズ群Ｇ１にさらに非球面を導入すると、歪曲収差や非点収差等のより良好な補正が可能になる。
【００９４】
また、第２レンズ群Ｇ２にさらに非球面を導入すると、球面収差、コマ収差、歪曲収差、非点収差等のより良好な補正が可能になる。
【００９５】
また、第２レンズ群Ｇ２は、物体側から像側へ順に、正レンズ、負レンズ、正レンズからなる３枚接合の接合レンズを有することがより望ましい。これにより、光束径が比較的大きい第２レンズ群Ｇ２内に、曲率が大きい接合面を複数有することが可能になり、球面収差、コマ収差、軸上色収差の良好な補正が可能になる。一般に、球面収差、コマ収差等の収差補正効果が大きい面は空気間隔やレンズ間の偏芯等の製造誤差による性能低下が大きいが、接合面であれば空気間隔はなく、レンズ間の偏芯も抑制されるため、製造時の性能低下を小さくすることが可能になる。
【００９６】
次に、本発明の大口径広角レンズに係る実施例のレンズ構成について説明する。なお、以下の説明ではレンズ構成を物体側から像側の順番で記載する。
【実施例１】
【００９７】
図１は、実施例１の大口径広角レンズの無限遠合焦時のレンズ構成図である。
【００９８】
実施例１の大口径広角レンズは、物体側から像側へ順に、正の屈折力の第１レンズ群Ｇ１、開口絞りＳ、正の屈折力の第２レンズ群Ｇ２から構成される。
【００９９】
第１レンズ群Ｇ１は、負の屈折力の第１ａレンズ群Ｇ１ａと、正の屈折力の第１ｂレンズ群Ｇ１ｂから構成される。
【０１００】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと物体側に凸面を向けた正メニスカスレンズとの２枚からなる接合レンズから構成されている。
【０１０１】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１０２】
第１ｂＦレンズ群Ｇ１ｂＦは、物体側に凸面を向けた正メニスカスレンズ、物体側に凸面を向けた負メニスカスレンズから構成される。
【０１０３】
第１ｂＲレンズ群Ｇ１ｂＲは、物体側に凸面を向けた負メニスカスレンズと両凸形状の正レンズとの２枚からなる接合レンズから構成される。
【０１０４】
無限遠物体から近距離物体へのフォーカシングに際して、第１ｂレンズ群Ｇ１ｂ全体が像側へ移動する。
【０１０５】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例２】
【０１０６】
図４は、実施例２の大口径広角レンズの無限遠合焦時のレンズ構成図である。
【０１０７】
実施例２の大口径広角レンズは、物体側から像側へ順に、正の屈折力の第１レンズ群Ｇ１、開口絞りＳ、正の屈折力の第２レンズ群Ｇ２から構成される。
【０１０８】
第１レンズ群Ｇ１は、負の屈折力の第１ａレンズ群Ｇ１ａと、正の屈折力の第１ｂレンズ群Ｇ１ｂから構成される。
【０１０９】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと物体側に凸面を向けた正メニスカスレンズとの２枚からなる接合レンズから構成されている。
【０１１０】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１１１】
第１ｂＦレンズ群Ｇ１ｂＦは、物体側に凸面を向けた正メニスカスレンズ、物体側に凸面を向けた負メニスカスレンズから構成される。
【０１１２】
第１ｂＲレンズ群Ｇ１ｂＲは、物体側に凸面を向けた負メニスカスレンズと両凸形状の正レンズとの２枚からなる接合レンズから構成される。
【０１１３】
無限遠物体から近距離物体へのフォーカシングに際して、第１ｂレンズ群Ｇ１ｂ全体が像側へ移動する。
【０１１４】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例３】
【０１１５】
図７は、実施例３の大口径広角レンズの無限遠合焦時のレンズ構成図である。
【０１１６】
実施例３の大口径広角レンズは、物体側から像側へ順に、正の屈折力の第１レンズ群Ｇ１、開口絞りＳ、正の屈折力の第２レンズ群Ｇ２から構成される。
【０１１７】
第１レンズ群Ｇ１は、負の屈折力の第１ａレンズ群Ｇ１ａと、正の屈折力の第１ｂレンズ群Ｇ１ｂから構成される。
【０１１８】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと両凸形状の正レンズとの２枚からなる接合レンズから構成されている。
【０１１９】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１２０】
第１ｂＦレンズ群Ｇ１ｂＦは、物体側に凸面を向けた正メニスカスレンズ、物体側に凸面を向けた負メニスカスレンズから構成される。
【０１２１】
第１ｂＲレンズ群Ｇ１ｂＲは、物体側に凸面を向けた負メニスカスレンズと両凸形状の正レンズとの２枚からなる接合レンズから構成される。
【０１２２】
無限遠物体から近距離物体へのフォーカシングに際して第１ｂレンズ群Ｇ１ｂ全体が像側へ移動する。
【０１２３】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例４】
【０１２４】
図１０は、実施例４の大口径広角レンズの無限遠合焦時のレンズ構成図である。
【０１２５】
実施例４の大口径広角レンズは、物体側から像側へ順に、正の屈折力の第１レンズ群Ｇ１、開口絞りＳ、正の屈折力の第２レンズ群Ｇ２から構成される。
【０１２６】
第１レンズ群Ｇ１は、負の屈折力の第１ａレンズ群Ｇ１ａと、正の屈折力の第１ｂレンズ群Ｇ１ｂから構成される。
【０１２７】
第１ａレンズ群Ｇ１ａは、物体側に凸面を向け、物体側のレンズ面が第１非球面ＡＳ１である負メニスカスレンズ、物体側に凸面を向けた負メニスカスレンズ、像側のレンズ面が第２非球面ＡＳ２である物体側に凸面を向けた負メニスカスレンズ、両凹形状の負レンズと物体側に凸面を向けた正メニスカスレンズとの２枚からなる接合レンズから構成されている。
【０１２８】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１２９】
第１ｂＦレンズ群Ｇ１ｂＦは、物体側に凸面を向けた正メニスカスレンズ、物体側に凸面を向けた負メニスカスレンズから構成される。
【０１３０】
第１ｂＲレンズ群Ｇ１ｂＲは、物体側に凸面を向けた負メニスカスレンズと両凸形状の正レンズとの２枚からなる接合レンズから構成される。
【０１３１】
無限遠物体から近距離物体へのフォーカシングに際して、第１ｂレンズ群Ｇ１ｂ全体が像側へ移動する。
【０１３２】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例５】
【０１３３】
図１３は、実施例５の大口径広角レンズの無限遠合焦時のレンズ構成図である。
【０１３４】
実施例５の大口径広角レンズは、物体側から像側へ順に、正の屈折力の第１レンズ群Ｇ１、開口絞りＳ、正の屈折力の第２レンズ群Ｇ２から構成される。
【０１３５】
第１レンズ群Ｇ１は、負の屈折力の第１ａレンズ群Ｇ１ａと、正の屈折力の第１ｂレンズ群Ｇ１ｂから構成される。
【０１３６】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと物体側に凸面を向けた正メニスカスレンズとの２枚からなる接合レンズから構成されている。
【０１３７】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１３８】
第１ｂＦレンズ群Ｇ１ｂＦは、両凸形状の正レンズ、物体側に凸面を向けた負メニスカスレンズから構成される。
【０１３９】
第１ｂＲレンズ群Ｇ１ｂＲは、物体側に凸面を向けた負メニスカスレンズと両凸形状の正レンズとの２枚からなる接合レンズから構成される。
【０１４０】
無限遠物体から近距離物体へのフォーカシングに際して第１ｂレンズ群Ｇ１ｂ全体が像側へ移動する。
【０１４１】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例６】
【０１４２】
図１６は、実施例６の大口径広角レンズの無限遠合焦時のレンズ構成図である。
【０１４３】
実施例６の大口径広角レンズは、物体側から像側へ順に、正の屈折力の第１レンズ群Ｇ１、開口絞りＳ、正の屈折力の第２レンズ群Ｇ２から構成される。
【０１４４】
第１レンズ群Ｇ１は、負の屈折力の第１ａレンズ群Ｇ１ａと、正の屈折力の第１ｂレンズ群Ｇ１ｂから構成される。
【０１４５】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと物体側に凸面を向けた正メニスカスレンズとの２枚からなる接合レンズから構成されている。
【０１４６】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１４７】
第１ｂＦレンズ群Ｇ１ｂＦは、物体側に凸面を向けた平凸レンズ、物体側に凸面を向けた負メニスカスレンズから構成される。
【０１４８】
第１ｂＲレンズ群Ｇ１ｂＲは、物体側に凸面を向けた負メニスカスレンズと両凸形状の正レンズとの２枚からなる接合レンズ、両凸形状の正レンズから構成される。
【０１４９】
無限遠物体から近距離物体へのフォーカシングに際して、第１ｂレンズ群Ｇ１ｂ内の最も像側の正レンズを除いた、平凸レンズ、負メニスカスレンズ、負メニスカスレンズと正レンズとの２枚からなる接合レンズが像側へ移動する。
【０１５０】
第２レンズ群Ｇ２は、両凸形状の正レンズ、像側に凸面を向けた正メニスカスレンズと両凹形状の負レンズと両凸形状の正レンズとの３枚からなる接合レンズと、両凸形状の正レンズ、物体側に凸面を向けた負メニスカスレンズと像側のレンズ面が第３非球面ＡＳ３である両凸形状の正レンズとの２枚からなる接合レンズから構成されている。
【実施例７】
【０１５１】
図１９は、実施例７の大口径広角レンズの無限遠合焦時のレンズ構成図である。
【０１５２】
実施例７の大口径広角レンズは、物体側から像側へ順に、正の屈折力の第１レンズ群Ｇ１、開口絞りＳ、正の屈折力の第２レンズ群Ｇ２から構成される。
【０１５３】
第１レンズ群Ｇ１は、負の屈折力の第１ａレンズ群Ｇ１ａと、正の屈折力の第１ｂレンズ群Ｇ１ｂから構成される。
【０１５４】
第１ａレンズ群Ｇ１ａは、物体側に凸面を向け、物体側のレンズ面が第１非球面ＡＳ１である負メニスカスレンズ、物体側に凸面を向けた負メニスカスレンズ、物体側のレンズ面が非球面形状であり像側のレンズ面が第２非球面ＡＳ２である物体側に凸面を向けた負メニスカスレンズ、両凹形状の負レンズと両凸形状の正レンズとの２枚からなる接合レンズから構成されている。
【０１５５】
第１ｂレンズ群Ｇ１ｂは、負の屈折力の第１ｂＦレンズ群Ｇ１ｂＦと、正の屈折力の第１ｂＲレンズ群Ｇ１ｂＲから構成される。
【０１５６】
第１ｂＦレンズ群Ｇ１ｂＦは、両凸形状の正レンズ、物体側に凸面を向けた負メニスカスレンズから構成される。
【０１５７】
第１ｂＲレンズ群Ｇ１ｂＲは、物体側に凸面を向けた負メニスカスレンズと両凸形状の正レンズとの２枚からなる接合レンズから構成される。
【０１５８】
無限遠物体から近距離物体へのフォーカシングに際して第１ｂレンズ群Ｇ１ｂ全体が像側へ移動する。
【０１５９】
第２レンズ群Ｇ２は、両凸形状の正レンズ、両凸形状の正レンズと両凹形状の負レンズと両凸形状の正レンズとの３枚からなる接合レンズと、像側のレンズ面が第３非球面ＡＳ３である両凸形状の正レンズ、物体側に凸面を向けた負メニスカスレンズと両凸形状の正レンズとの２枚からなる接合レンズから構成されている。
【０１６０】
次に、本発明の大口径広角レンズに係る実施例の数値実施例について説明する。
【０１６１】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。
【０１６２】
面番号に付した＊（アスタリスク）は、そのレンズ面形状が非球面であることを示している。また、ＢＦはバックフォーカスを表している。
【０１６３】
面番号に付した（絞り）は、その位置に開口絞りが位置していることを示している。平面または開口絞りに対する曲率半径には∞（無限大）を記入している。
【０１６４】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８、１０、１２、１４次の非球面係数をそれぞれＡ４、Ａ６、Ａ８、Ａ１０、Ａ１２、Ａ１４で表している。
【０１６５】
2018018041.tif 000003
【０１６６】
［各種データ］には、無限遠合焦時における焦点距離等の値を示している。
【０１６７】
［レンズ群データ］には、各レンズ群を構成する最も物体側のレンズ面番号及びレンズ群全体の合成焦点距離を示している。
【０１６８】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１６９】
数値実施例１
単位：mm
［面データ］
面番号            r              d             nd             vd
物面                  ∞             ∞
1*            195.9286         4.0000        1.69350          53.20
2              30.6086         8.2206
3              39.8790         1.7000        2.00100          29.13
4              24.4334        13.0405
5*            158.1530         2.0000        1.59201          67.02
6*             48.4894         8.6465
7            -108.4275         1.4000        1.43700          95.10
8              38.4872         6.9774        1.88300          40.81
9             566.3987         3.0000
10              70.1630         2.9758        1.95375          32.32
11             211.6734         0.1500
12              52.4880         1.2000        2.00100          29.13
13              27.4589        14.1235
14              92.6291         1.0000        1.43700          95.10
15              31.2178         6.0304        1.73800          32.26
16            -191.6101        10.9920
17(絞り)             ∞         1.0000
18              77.9718         4.3297        1.59282          68.62
19             -68.8556         1.8988
20            -230.4809         5.3958        1.43700          95.10
21             -24.2000         0.9000        1.88300          40.81
22              24.2000         8.6715        1.59282          68.62
23             -74.3964         0.2992
24              44.3076         7.9389        1.59282          68.62
25             -34.0861         0.2168
26             200.0000         0.9000        1.88300          40.81
27              24.6104         6.9804        1.55332          71.68
28*            -86.9710           (BF)
像面                  ∞
［非球面データ］
1面            5面            6面           28面
K                0.0000         0.0000         0.0000         0.0000
A4           8.50270E-06   -2.58650E-06    7.46701E-06    9.04686E-06
A6          -8.72755E-09    2.77626E-08    1.12282E-08    1.88988E-09
A8           9.17434E-12    3.71237E-12    7.97674E-11    3.01310E-11
A10         -6.35269E-15   -1.28207E-13   -3.74912E-13    1.94739E-14
A12          2.53930E-18    1.28838E-16    3.35003E-16    0.00000E+00
A14         -4.18136E-22    0.00000E+00    0.00000E+00    0.00000E+00
［各種データ］
INF
焦点距離             14.42
Fナンバー             1.85
全画角2ω           112.95
像高Y              21.63
レンズ全長           162.99
BF                39.00
［レンズ群データ］
群            始面         焦点距離
G1              1               716.23
G2             18                47.47
G1a             1               -26.32
G2b            10                82.90
【０１７０】
数値実施例２
単位：mm
［面データ］
面番号            r              d             nd             vd
物面                  ∞             ∞
1*            200.0000         4.0000        1.69350          53.20
2              29.4852         8.8471
3              39.4237         1.7000        2.00100          29.13
4              24.0072        12.8270
5*            147.0686         2.0000        1.59201          67.02
6*             58.4748         9.1762
7             -84.8349         1.4000        1.43700          95.10
8              40.1466         6.5225        1.88300          40.81
9             576.5191         3.0000
10             100.8592         2.7424        1.95375          32.32
11             916.7558         0.1500
12              48.4029         1.2000        2.00100          29.13
13              27.7801        14.2879
14             100.5613         1.0000        1.43700          95.10
15              30.4398         5.6760        1.73800          32.26
16            -163.8849        10.2011
17(絞り)             ∞         1.0000
18              87.9659         4.0198        1.49700          81.61
19             -78.6329         1.8163
20            -360.7751         5.6354        1.49700          81.61
21             -24.2000         0.9000        1.88300          40.81
22              24.2000         8.7973        1.59282          68.62
23             -70.4888         0.1500
24              41.1448         8.0860        1.59282          68.62
25             -36.4693         0.6424
26             200.0000         0.9000        1.88300          40.81
27              23.3607         7.3226        1.55332          71.68
28*            -82.1418           (BF)
像面                  ∞
［非球面データ］
1面            5面            6面           28面
K                0.0000         0.0000         0.0000         0.0000
A4           8.75836E-06    3.70706E-06    1.41509E-05    8.41899E-06
A6          -8.80271E-09    3.13916E-08    1.09467E-08    5.68594E-09
A8           8.57147E-12    3.06648E-11    1.40618E-10   -4.15904E-12
A10         -5.56537E-15   -2.43861E-13   -6.01039E-13    1.26169E-13
A12          2.13118E-18    2.50878E-16    5.43427E-16    0.00000E+00
A14         -3.43231E-22    0.00000E+00    0.00000E+00    0.00000E+00
［各種データ］
INF
焦点距離             14.42
Fナンバー             1.85
全画角2ω           112.77
像高Y              21.63
レンズ全長           163.00
BF                39.00
［レンズ群データ］
群            始面         焦点距離
G1              1               180.05
G2             18                49.08
G1a             1               -25.52
G2b            10                73.67
【０１７１】
数値実施例３
単位：mm
［面データ］
面番号            r              d             nd             vd
物面                  ∞             ∞
1*            192.0419         4.0000        1.69350          53.20
2              31.2108         6.4032
3              38.5768         1.7000        2.00100          29.13
4              24.0750        13.8849
5*            200.0000         2.0000        1.59201          67.02
6*             44.7464         8.9670
7             -78.3909         1.4000        1.49700          81.61
8              45.6718         7.9314        1.88300          40.81
9            -148.5711         3.0000
10              51.3200         3.3421        2.00100          29.13
11             124.6725         0.1500
12             113.6903         1.2000        1.80809          22.76
13              28.9777        11.5157
14              89.7807         1.0000        1.49700          81.61
15              27.8200         6.8494        1.71736          29.50
16            -149.8020        10.9674
17(絞り)             ∞         1.0000
18              59.2337         4.6602        1.58913          61.25
19             -71.7053         0.9611
20            -198.2104         5.4366        1.43700          95.10
21             -24.1000         0.9000        1.88300          40.81
22              24.1000         8.8354        1.55032          75.50
23             -70.0000         0.4122
24              45.7453         8.5304        1.59282          68.62
25             -32.7420         0.3649
26             200.0000         0.9000        1.88300          40.81
27              23.2386         7.6882        1.55332          71.68
28*            -80.3407           (BF)
像面                  ∞
［非球面データ］
1面            5面            6面           28面
K                0.0000         0.0000         0.0000         0.0000
A4           8.89073E-06   -7.05869E-06    2.98709E-06    8.03518E-06
A6          -9.82653E-09    3.96037E-08    1.90311E-08    4.28367E-09
A8           1.11632E-11   -1.92678E-11    7.60879E-11   -1.98049E-12
A10         -8.45380E-15   -1.25989E-13   -4.55069E-13    1.09504E-13
A12          3.68960E-18    1.48045E-16    4.67604E-16    0.00000E+00
A14         -6.64048E-22    0.00000E+00    0.00000E+00    0.00000E+00
［各種データ］
INF
焦点距離             15.10
Fナンバー             1.85
全画角2ω           110.52
像高Y              21.63
レンズ全長           163.00
BF                39.00
［レンズ群データ］
群            始面         焦点距離
G1              1               801.47
G2             18                47.77
G1a             1               -30.05
G2b            10                90.99
【０１７２】
数値実施例４
単位：mm
［面データ］
面番号            r              d             nd             vd
物面                  ∞             ∞
1*            189.7248         4.0000        1.69350          53.20
2              30.3251         9.4033
3              42.8140         1.7000        2.00100          29.13
4              25.1028         9.3005
5              47.3175         2.0000        1.59201          67.02
6*             30.8705        10.9865
7             -96.0697         1.4000        1.43700          95.10
8              38.0000         6.7573        1.88300          40.81
9             371.5220         3.0000
10              81.4888         2.8796        1.95375          32.32
11             367.6167         0.1550
12              47.7501         1.2000        2.00100          29.13
13              26.6938        15.5271
14             129.6974         1.0000        1.43700          95.10
15              30.7767         5.6308        1.73800          32.26
16            -184.4946        10.1063
17(絞り)             ∞         1.6234
18              70.9125         4.5871        1.59282          68.62
19             -65.7913         1.5135
20            -193.0113         5.5133        1.43700          95.10
21             -24.2000         0.9000        1.88300          40.81
22              24.2000         8.4278        1.59282          68.62
23             -71.2805         0.1500
24              43.1937         8.0582        1.59282          68.62
25             -34.3897         0.1500
26             237.3209         0.9000        1.88300          40.81
27              23.9284         7.1303        1.55332          71.68
28*            -86.9897           (BF)
像面                  ∞
［非球面データ］
1面            6面           28面
K                0.0000         0.0000         0.0000
A4           8.12538E-06    8.13193E-06    9.04137E-06
A6          -7.78520E-09   -5.47865E-09    1.88706E-09
A8           7.19299E-12   -4.54930E-11    2.88824E-11
A10         -4.23271E-15    1.26820E-13    2.14042E-14
A12          1.48773E-18   -1.64929E-16    0.00000E+00
A14         -2.23733E-22    0.00000E+00    0.00000E+00
［各種データ］
INF
焦点距離             14.43
Fナンバー             1.85
全画角2ω           112.93
像高Y              21.63
レンズ全長           163.00
BF                39.00
［レンズ群データ］
群            始面         焦点距離
G1              1              2651.44
G2             18                47.68
G1a             1               -26.06
G2b            10                85.08
【０１７３】
数値実施例５
単位：mm
［面データ］
面番号            r              d             nd             vd
物面                  ∞             ∞
1*            200.0000         4.0000        1.69350          53.20
2              31.4135        10.7881
3              47.5710         1.7000        1.95375          32.32
4              24.3755        13.0466
5*            101.8322         2.0000        1.59201          67.02
6*             50.0415         9.8290
7             -81.3452         1.4000        1.43700          95.10
8              42.0601         6.3718        1.88300          40.81
9             546.3553         3.1236
10              86.6519         3.6891        1.95375          32.32
11            -377.3223         0.2268
12              45.8590         1.2000        2.00100          29.13
13              25.6825        15.7503
14              99.2402         1.0000        1.43700          95.10
15              27.9672         5.1593        1.73800          32.26
16           -1494.5112         8.3375
17(絞り)             ∞         1.0000
18             114.7329         4.0555        1.59282          68.62
19             -61.5396         2.0848
20            -360.8185         5.4279        1.43700          95.10
21             -24.2000         0.9000        1.88300          40.81
22              24.2000         7.6473        1.59282          68.62
23            -121.9999         0.1500
24              35.3831         7.9717        1.61997          63.88
25             -40.1069         0.1500
26             200.0000         0.9000        1.88300          40.81
27              20.7224         8.0907        1.55332          71.68
28*            -49.2363           (BF)
像面                  ∞
［非球面データ］
1面            5面            6面           28面
K                0.0000         0.0000         0.0000         0.0000
A4           8.07942E-06   -1.07128E-05   -8.29004E-07    9.00370E-06
A6          -7.52265E-09    9.59775E-08    7.83757E-08    7.32009E-09
A8           6.85838E-12   -1.30439E-10   -3.39041E-11   -2.48682E-11
A10         -4.10615E-15    6.13033E-15   -2.93023E-13    3.14035E-13
A12          1.41221E-18    7.73200E-17    2.98196E-16    0.00000E+00
A14         -1.96953E-22    0.00000E+00    0.00000E+00    0.00000E+00
［各種データ］
INF
焦点距離             13.45
Fナンバー             1.86
全画角2ω           116.61
像高Y              21.63
レンズ全長           165.00
BF                39.00
［レンズ群データ］
群            始面         焦点距離
G1              1               532.68
G2             18                46.72
G1a             1               -23.14
G2b            10                76.43
【０１７４】
数値実施例６
単位：mm
［面データ］
面番号            r              d             nd             vd
物面                  ∞             ∞
1*            199.5519         4.0000        1.69350          53.20
2              29.5530         8.4592
3              38.4012         1.7000        2.00100          29.13
4              24.2063        12.7493
5*             85.1694         2.0000        1.59201          67.02
6*             40.5132         9.1095
7            -103.0717         1.4000        1.43700          95.10
8              38.0000         6.6148        1.88300          40.81
9             404.5226         3.0000
10             150.3127         2.3302        1.95375          32.32
11                   ∞         0.1500
12              51.5759         1.2000        2.00100          29.13
13              28.8577        13.0873
14              84.5774         1.0000        1.43700          95.10
15              31.6416         5.9621        1.73800          32.26
16            -160.4885         9.9838
17             140.9423         2.4382        1.48749          70.44
18           -1000.0000         1.0000
19(絞り)             ∞         1.0000
20             175.4876         3.5756        1.59282          68.62
21             -70.7928         1.2577
22            -192.0549         5.3233        1.43700          95.10
23             -24.2000         0.9000        1.88300          40.81
24              24.2000         8.3252        1.59282          68.62
25             -73.5558         0.8139
26              44.8750         8.0154        1.59282          68.62
27             -34.4148         0.5309
28             148.5615         0.9000        1.88300          40.81
29              23.7386         7.1735        1.55332          71.68
30*            -91.0423           (BF)
像面                  ∞
［非球面データ］
1面            5面            6面           30面
K                0.0000         0.0000         0.0000         0.0000
A4           8.70151E-06   -7.78853E-06    2.00334E-06    8.05949E-06
A6          -8.91287E-09    4.70618E-08    2.77193E-08    3.72771E-09
A8           9.01846E-12   -5.30175E-12    9.59350E-11    4.75146E-12
A10         -6.07340E-15   -1.85515E-13   -5.35258E-13    8.69489E-14
A12          2.39337E-18    2.07067E-16    5.20355E-16    0.00000E+00
A14         -3.94063E-22    0.00000E+00    0.00000E+00    0.00000E+00
［各種データ］
INF
焦点距離             14.42
Fナンバー             1.85
全画角2ω           112.96
像高Y              21.63
レンズ全長           163.00
BF                39.00
［レンズ群データ］
群            始面         焦点距離
G1              1                65.53
G2             20                47.81
G1a             1               -25.94
G2b            10                79.75
【０１７５】
数値実施例７
単位：mm
［面データ］
面番号            r              d             nd             vd
物面                  ∞             ∞
1*            186.6067         4.0000        1.69350          53.20
2              30.5322         8.4807
3              40.7014         1.7000        2.00100          29.13
4              24.3679        13.9830
5*            185.1242         2.0000        1.59201          67.02
6*             57.7888        11.4620
7             -46.6414         1.4000        1.43700          95.10
8              65.3206         6.3864        1.88300          40.81
9            -147.4591         3.0000
10              83.7140         3.5331        1.88300          40.81
11           -1494.7495         0.1500
12              38.6722         1.2000        2.00060          25.46
13              25.0542        11.1945
14             245.9405         1.0000        1.43700          95.10
15              25.2194         6.2265        1.73800          32.26
16            -235.2132        10.6534
17(絞り)             ∞         1.0000
18            1467.6946         2.6567        1.59282          68.62
19            -109.3560         0.8911
20              63.7415         6.9777        1.43700          95.10
21             -24.2184         0.9000        1.88100          40.14
22              24.2184         7.8452        1.55032          75.50
23             -95.1312         0.1500
24              48.4043         7.6795        1.72903          54.04
25*            -32.4886         0.1500
26             999.9185         0.9000        1.88300          40.81
27              21.2177         8.4801        1.55032          75.50
28             -56.9215           (BF)
像面                  ∞
［非球面データ］
1面            5面            6面           25面
K                0.0000         0.0000         0.0000        -0.6330
A4           8.50518E-06   -5.65217E-06    4.07184E-06    4.20128E-06
A6          -8.55662E-09    1.02773E-07    7.98410E-08   -1.83452E-09
A8           8.23709E-12   -1.73361E-10   -4.46631E-11   -7.85972E-11
A10         -5.41083E-15    8.52153E-14   -3.10682E-13    4.34555E-13
A12          2.07373E-18    2.33794E-17    3.31935E-16   -8.02985E-16
A14         -3.27916E-22    0.00000E+00    0.00000E+00    0.00000E+00
［各種データ］
INF
焦点距離             14.42
Fナンバー             1.85
全画角2ω           112.94
像高Y              21.63
レンズ全長           163.00
BF                39.00
［レンズ群データ］
群            始面         焦点距離
G1              1               137.99
G2             18                47.68
G1a             1               -25.16
G2b            10                68.69
【０１７６】
［条件式対応値］
条件式／実施例
（１）    ｆ／ｆ１
（２）    ｈＦｎｏＧ１Ｒ／ｈＦｎｏＧ１Ｆ
（３）    ＢＦ／ｆ
（４）    νｄＧ１Ｎνｍａｘ
（５）    θｇＦＧ１Ｎνｍａｘ−０．６４８３＋０．００１８×νｄＧ１Ｎνｍａｘ
（６）    νｄＧ２Ｐνｍａｘ
（７）    θｇＦＧ２Ｐνｍａｘ−０．６４８３＋０．００１８×νｄＧ２Ｐνｍａｘ
（８）    ｆ１ａ／ｆ
（９）    ｎｄＧ１ａＮｎｍａｘ
（１０）  ＤｍａｘＧ１ｂ／ｆ
（１１）  β１ｂＦ
（１２）  ＤＡＳ３／ＢＦ
条件式／実施例       1              2              3              4
（１）            0.020          0.080          0.019          0.005
（２）            3.506          3.556          3.346          3.544
（３）            2.700          2.700          2.580          2.700
（４）           95.100         95.100         81.610         95.100
（５）            0.056          0.056          0.037          0.056
（６）           95.100         81.610         95.100         95.100
（７）            0.056          0.037          0.056          0.056
（８）          -1.8250        -1.7700        -1.9900        -1.8060
（９）           2.0010         2.0010         2.0010         2.0010
（１０）         0.9795         0.9906         0.7627         1.0763
（１１）         0.6613         0.7017         0.6025         0.6910
（１２）          1.000          1.000          1.000          1.000
条件式／実施例       5              6              7
（１）            0.025          0.220          0.105
（２）            3.703          3.451          3.420
（３）            2.900          2.700          2.700
（４）           95.100         95.100         95.100
（５）            0.056          0.056          0.056
（６）           95.100         95.100         95.100
（７）            0.056          0.056          0.056
（８）          -1.7200        -1.7990        -1.7450
（９）           1.9540         2.0010         2.0010
（１０）         1.1707         0.9076         0.7763
（１１）         0.8329         0.6425         0.8565
（１２）          1.000          1.000          1.240
【符号の説明】
【０１７７】
Ｇ１      第１レンズ群
Ｇ２      第２レンズ群
Ｇ１ａ    第１ａレンズ群
Ｇ１ｂ    第１ｂレンズ群
Ｇ１ｂＦ  第１ｂＦレンズ群
Ｇ１ｂＲ  第１ｂＲレンズ群
ＡＳ１    第１非球面
ＡＳ２    第２非球面
ＡＳ３    第３非球面
Ｓ        開口絞り
Ｉ        像面
【図１】
2018018041.tif 000004
【図２】
2018018041.tif 000005
【図３】
2018018041.tif 000006
【図４】
2018018041.tif 000007
【図５】
2018018041.tif 000008
【図６】
2018018041.tif 000009
【図７】
2018018041.tif 000010
【図８】
2018018041.tif 000011
【図９】
2018018041.tif 000012
【図１０】
2018018041.tif 000013
【図１１】
2018018041.tif 000014
【図１２】
2018018041.tif 000015
【図１３】
2018018041.tif 000016
【図１４】
2018018041.tif 000017
【図１５】
2018018041.tif 000018
【図１６】
2018018041.tif 000019
【図１７】
2018018041.tif 000020
【図１８】
2018018041.tif 000021
【図１９】
2018018041.tif 000022
【図２０】
2018018041.tif 000023
【図２１】
2018018041.tif 000024